(57)【特許請求の範囲】
【請求項１】
背板１４の前面に棚板１５を設けた陳列棚であって、棚板１５の長手方向に間隔をあけて仕切板１を着脱自在に立設し、仕切板１により仕切られた棚板上の陳列空間に商品を列設載置せしめる構成において、
前記仕切板１は、下側の主板部２と上側の副板部３とを相互に板厚方向に折曲自在なヒンジ手段６を介して連結した構成とされ、少なくとも陳列棚の背板１４に対して着脱自在に係止される係止手段５を副板部３に設けて成ることを特徴とする陳列棚における仕切装置。
【請求項２】
背板１４の前面に棚板１５を設けた陳列棚であって、棚板１５の長手方向に間隔をあけて仕切板１を着脱自在に立設し、仕切板１により仕切られた棚板上の陳列空間に商品を列設載置せしめる構成において、
前記仕切板１は、下側の主板部２と上側の副板部３とを相互に板厚方向に折曲自在なヒンジ手段６を介して連結し、主板部２の下部に下部突起４を設けると共に、副板部３の背部に背部突起５を設けて成り、
前記陳列棚１３は、主板部２の下部突起４を挿脱自在に挿入せしめる縦孔１６を棚板１５に設け、副板部３を主板部２に対して起立せしめた状態で背部突起５を挿脱自在に挿入せしめる第一横孔１７と、副板部３を主板部２に対して交差するように折曲した状態で背部突起５を挿脱自在に挿入せしめる第二横孔１８とを背板１４に設けて成ることを特徴とする陳列棚における仕切装置。
【請求項３】
請求項１又は２に記載の陳列棚における仕切装置に使用される仕切板であって、
合成樹脂により一体成形した下側の主板部２と上側の副板部３との間に、板幅方向に延びる薄肉のヒンジ手段６を形成し、該ヒンジ手段６を介して副板部３を主板部２に対して板厚方向に折曲自在に構成して成り、
主板部２の下部に下部突起４を設けると共に、副板部３の背部に背部突起５を設けて成ることを特徴とする陳列棚における仕切板。
【発明の詳細な説明】
【０００１】
【発明の属する技術分野】
本発明は、商品を列設載置するための陳列棚における仕切装置並びに仕切板に関し、特に、商品の列設した陳列状態と、商品の立て掛け状の展示状態とを可能とするものに関する。
【０００２】
【従来の技術】
例えば、録画済のビデオテープを収納したケースや、録音又は録画済のＣＤ又はＤＶＤ等のディスクを収納したケースや、書籍や、その他の商品は、店舗において陳列棚に列設載置した状態で陳列される。
【０００３】
陳列棚は、背板の前面に棚板を設けた構成とされ、棚板上に商品を列設載置されるが、通常、棚板の長手方向に間隔をあけて仕切板を着脱自在に立設し、仕切板により仕切られた棚板上の陳列空間に商品を列設載置される。
【０００４】
【発明が解決しようとする課題】
このように商品を列設載置した陳列状態において、顧客は、商品の背部分に表示された情報を視認することにより、商品の内容を確認することができる。即ち、前述したビデオテープやディスク等の商品の場合、ケースの背部分に題名等が表示されているので、背部分を前向き姿勢として棚板に列設載置されている。同様に、書籍の場合も、背表紙に題名等が表示されているので、背表紙を前向き姿勢として棚板に列設載置されている。
【０００５】
ところで、商品の販売（又はレンタル）を促進するためには、多数の商品を列設載置した状態で陳列する一方において、例えば、新発売の商品等、選択された商品を正面向き姿勢として立て掛け状態で展示し、顧客にアピールすることが望ましい。即ち、前述のビデオテープやディスク等の商品の場合、ケースの正面部分に写真等を含むジャケットシートが添付されているので、正面部分を前向き姿勢として立て掛け状態で展示することが望ましい。同様に、書籍の場合も、表紙に各種デザインが施されているので、表紙を前向き姿勢として立て掛け状態で展示することが望ましい。
【０００６】
然しながら、従来の陳列棚においては、商品の正面部分を前向き姿勢として立て掛け状態で展示するためには、別途、スタンドが必要であり、店舗において各種多数のスタンドを保管しておかなければならないという不便がある。
【０００７】
【課題を解決するための手段】
本発明は、上記課題を解決し、棚板に着脱自在に立設される仕切板を備えた陳列棚において、商品を列設載置した状態で陳列する際の仕切機能と、商品を正面向き姿勢として立て掛け状態で展示するスタンド機能とを兼備した仕切装置を提供するものである。
【０００８】
そこで、本発明が第一の手段として構成したところは、背板の前面に棚板を設けた陳列棚であって、棚板の長手方向に間隔をあけて仕切板を着脱自在に立設し、仕切板により仕切られた棚板上の陳列空間に商品を列設載置せしめる構成において、前記仕切板は、下側の主板部と上側の副板部とを相互に板厚方向に折曲自在なヒンジ手段を介して連結した構成とされ、少なくとも陳列棚の背板に対して着脱自在に係止される係止手段を副板部に設けて成る点にある。
【０００９】
また、本発明が第二の手段として構成したところは、背板の前面に棚板を設けた陳列棚であって、棚板の長手方向に間隔をあけて仕切板を着脱自在に立設し、仕切板により仕切られた棚板上の陳列空間に商品を列設載置せしめる構成において、前記仕切板は、下側の主板部と上側の副板部とを相互に板厚方向に折曲自在なヒンジ手段を介して連結し、主板部の下部に下部突起を設けると共に、副板部の背部に背部突起を設けて成り、前記陳列棚は、主板部の下部突起を挿脱自在に挿入せしめる縦孔を棚板に設け、副板部を主板部に対して起立せしめた状態で背部突起を挿脱自在に挿入せしめる第一横孔と、副板部を主板部に対して交差するように折曲した状態で背部突起を挿脱自在に挿入せしめる第二横孔とを背板に設けて成る点にある。
【００１０】
更に、本発明が第三の手段として構成したところは、前述のような陳列棚における仕切装置に使用される仕切板であって、合成樹脂により一体成形した下側の主板部と上側の副板部との間に、板幅方向に延びる薄肉のヒンジ手段を形成し、該ヒンジ手段を介して副板部を主板部に対して板厚方向に折曲自在に構成して成り、主板部の下部に下部突起を設けると共に、副板部の背部に背部突起を設けて成る点にある。
【００１１】
【発明の実施の形態】
以下図面に基づいて本発明の好ましい実施形態を詳述する。
【００１２】
（仕切板の構成）
図１に示すように、仕切板１は、合成樹脂により、下側の主板部２と、上側の副板部３と、主板部２の下部に突設された下部突起４と、副板部３の背部に突設された背部突起５とを一体に成形されており、主板部２と副板部３との間に、板幅方向に延びる薄肉のヒンジ手段６を設けている。従って、図１（Ｂ）に示すように、主板部２と副板部３は、ヒンジ手段６により相互に板厚方向に折曲自在に連結されている。即ち、主板部２に対して副板部３は、左右何れ方向にも交差するように折曲自在である。尚、仕切板１は、合成樹脂により中実状に一体成形することが好ましいが、芯板を合成樹脂シートにより被覆した構成としても良く、その場合、主板部２を構成する芯板と副板部３を構成する芯板とを合成樹脂シートにより被覆するに際し、上下に配置された芯板の間に位置して該合成樹脂シートにより薄肉状のヒンジ手段６を形成すれば良い。
【００１３】
図示の実施形態において、主板部２は、下端から背部に至り傾斜するテーパ状のカットライン７を有し、主板部２の表裏両面に滑り止め手段８を設けている。図例の場合、滑り止め手段８は、主板部２の表面から僅かに突出して板幅方向に延びる線状の畝部を構成し、該畝部の表面を梨子地状に形成すると共に、主板部２の上下方向に間隔をあけて多数本が形成されている。
【００１４】
主板部２の下部突起４は、下向き舌片状に形成されている。また、副板部３の背部突起５は、後向きの鉤形状に形成されている。図３及び図４に示すように、副板部３の背縁９と主板部２の背縁１０とは同一線上に配置され、ヒンジ手段６の上方に下側背縁９ａを残した状態で背部突起５が副板部３の背部に突設され、背部突起５の上方に副板部３の上側背縁９ｂを残している。そして、背部突起５は、下端縁１１から切込み形成された溝１２を形成している。
【００１５】
（陳列棚及び仕切装置の構成）
図２に示すように、陳列棚１３は、背板１４の前面に棚板１５を設けており、前述した仕切板１を棚板１５の長手方向に間隔をあけて着脱自在に立設せしめ、仕切板１により仕切られた棚板上の陳列空間に商品Ｍを列設載置するように構成されている。尚、陳列棚１３は、陳列台に設けた背板１４に棚板１５を固着したものでも良いが、背板１４と棚板１５を断面Ｌ形に連結した陳列棚１３を支柱に対して上下複数段に配置するような構成としたものでも良い。
【００１６】
陳列棚１３の棚板１５には、仕切板１における主板部２の下部突起４を挿脱自在に挿入せしめる縦孔１６が設けられており、陳列棚１３の背板１４には、仕切板１の副板部３を主板部２に対して起立せしめた状態で背部突起５を挿脱自在に挿入せしめる第一横孔１７と、副板部３を主板部２に対して交差するように折曲した状態で背部突起５を挿脱自在に挿入せしめる第二横孔１８とが設けられている。そして、縦孔１６並びに第一横孔１７及び第二横孔１８から成る１組の孔群は、棚板１５の長手方向に所定間隔をあけて多数形成されている。
【００１７】
従って、図２の左側に示すように、仕切板１は、副板部３を主板部２に対して起立せしめた状態で、下部突起４を縦孔１６に挿入し、背部突起５を第一横孔１７に挿入すれば、商品Ｍ１を列設載置した状態で陳列するための仕切機能を有する。
【００１８】
その一方において、図２の右側に示すように、仕切板１は、副板部３を主板部２に対して交差するように折曲した状態で、下部突起４を縦孔１６に挿入し、背部突起５を第二横孔１８に挿入すれば、商品Ｍ２を正面向き姿勢として立て掛け状態で展示するスタンド機能を有する。即ち、ヒンジ手段６により折曲を介してほぼ水平姿勢とされた副板部３の前縁が商品Ｍ２を後側から幅方向にわたって支持するので、商品Ｍ２が転倒することはない。尚、この際、副板部３の前縁等に更に商品Ｍ２を安定的に支持する手段を付加しても良い。
【００１９】
この際、副板部３は、ほぼ水平姿勢とされた小棚部を形成するので、商品の値札その他の情報表示手段１９を載置することができる。尚、情報表示手段１９は、副板部３に載置する他、情報表示手段１９と副板部３の間に凹凸嵌合等により着脱自在に係止する手段を設けても良い。
【００２０】
陳列棚１３に設けた縦孔１６と第一横孔１７及び第二横孔１８により構成された１組の孔群は、図３に示すような仕切板１の背縁９、１０を背板１４から離した第一の取付態様と、図４に示すような仕切板１の背縁９、１０を背板１４に沿ってほぼ当接せしめた第二の取付態様とを可能にする。
【００２１】
図３に示す第一の取付態様の場合、第一横孔１７の下縁１７ａが背部突起５の溝１２に嵌合され、従って、仕切板１は、背部突起５の下側背縁９ａから段状に延びる下端縁１１の長さに相当して背縁９、１０を背板１４から離した状態で取付けられる。このため、縦孔１６は、背板１４から所定距離Ｌ１だけ離れた位置に設けられ、第一横孔１７は、棚板１５から所定高さＨ１だけ離れた位置に設けられている。尚、第一横孔１７の上下方向の長さ寸法ｈ１は、背部突起５の上下長さ寸法と等しいかやや長く形成されているが、第一横孔１７の下縁１７ａを背部突起５の溝１２に嵌入した状態で、第一横孔１７の上側延長部１７ｂが副板部３の上側背縁９ｂにより目隠しされるように構成されている。
【００２２】
図４に示す第二の取付態様の場合、背部突起５の溝１２が第一横孔１７を通過して背板１４の後方に位置せしめられ、従って、第一横孔１７の下縁１７ａが背部突起５の下端縁１１に当接し、従って、仕切板１は、仕切板１の背縁９、１０を背板１４に沿ってほぼ当接せしめた状態で取付けられる。このため、縦孔１６は、背板１４から所定距離Ｌ２だけ離れた位置に設けられ、第一横孔１７は、棚板１５から所定高さＨ２だけ離れた位置に設けられている。第一横孔１７の上下方向の長さ寸法ｈ２は、背部突起５の上下長さ寸法と等しいかやや長く形成されている。従って、図３に示す第一の取付態様における距離Ｌ１及び高さＨ１と、図４に示す第二の取付態様における距離Ｌ２及び高さＨ２は、Ｌ１＞Ｌ２、Ｈ１＞Ｈ２となる。
【００２３】
尚、本発明が図示の実施形態に限定されないことは勿論であり、種々の設計変更を施すことが可能である。例えば、上述の実施例においては、背部突起５を背板１４の第一横孔１７と第二横孔１８に対して選択的に挿入係止する構成について説明したが、背板１４に第一横孔１７と第二横孔１８に相当する１個のほぼＬ形の孔を設けても良く、或いは、背部突起５と孔１７、１８により挿入係止に代えて、任意の着脱係止手段を設けた構成としても良い。更に、上述の実施例では、下部突起４を棚板１５の縦孔１６に挿入係止する構成について説明したが、必ずしも主板部２の下端を棚板１５に係止する構成とする必要はなく、例えば、副板部３の背部突起５と同様の突起を主板部２の背縁１０にも設け、該突起を介して主板部２を背板１４に係止せしめるように構成しても良い。
【００２４】
【発明の効果】
本発明によれば、背板１４の前面に棚板１５を設けた陳列棚１３であって、棚板１５の長手方向に間隔をあけて仕切板１を着脱自在に立設し、仕切板１により仕切られた棚板上の陳列空間に商品Ｍ１を列設載置せしめる構成において、同一構成とした仕切板１により、商品Ｍ１を列設載置した陳列状態と、商品Ｍ２を正面向き姿勢として立て掛け状に載置した展示状態とが可能になるという効果がある。
【００２５】
即ち、仕切板１は、副板部３を主板部２に対して起立せしめた状態で、下部突起４を縦孔１６に挿入し、背部突起５を第一横孔１７に挿入することにより、商品Ｍ１を列設載置した状態で陳列するための仕切機能を有するばかりでなく、その一方において、ヒンジ手段６を介して副板部３を主板部２に対して交差するように折曲すると共に、下部突起４を縦孔１６に挿入し、背部突起５を第二横孔１８に挿入することにより、商品Ｍ２を正面向き姿勢として立て掛け状態で展示するスタンド機能を有する。そして、ほぼ水平姿勢とされた副板部３の前縁は、商品Ｍ２を後側から幅方向に支持するので、商品Ｍ２が安定して支持されることにより転倒する虞れがなく、好適な展示による販売（又はレンタル）促進を可能にする。
【図面の簡単な説明】
【図１】本発明の１実施形態に基づく仕切板を示しており、（Ａ）は副板部を主板部に対して起立せしめた状態を示す斜視図、（Ｂ）は副板部を主板部に対して折曲した状態を示す斜視図である。
【図２】本発明の仕切板を使用した陳列棚を示す斜視図である。
【図３】仕切板の第一の取付態様を示す断面図である。
【図４】仕切板の第二の取付態様を示す断面図である。
【符号の説明】
１    仕切板
２    主板部
３    副板部
４    下部突起
５    背部突起
６    ヒンジ手段
１２    溝
１３    陳列棚
１４    背板
１５    棚板
１６    縦孔
１７    第一横孔
１８    第二横孔
【図１】
0003558340.tif 000002
【図２】
0003558340.tif 000003
【図３】
0003558340.tif 000004
【図４】
0003558340.tif 000005